(57)【要約】【課題】  透明パネルの曇りを経済的に防止することができる小型の映像装置を提供すること。【解決手段】  ケーシング２の正面に透明パネル４を設け、この透明パネル４を通して映像表示ユニットとしての液晶テレビ５の画面１９を視認可能とした映像装置としての液晶テレビ１において、前記透明パネル４の内側で且つ前記液晶映像表示ユニット５の前側に、前記透明パネル４と適宜の距離を隔てて透明フィルム１６を張設し、これら透明パネル４と透明フィルム１６とで挟まれる空間を密閉空間１７としたことで、前記ケーシング２内外の温度差が大きくなったとしても、前記密閉空間１７によって断熱されることで、前記透明フィルム１６がそれほど低温にならず、前記透明フィルム１６の内面が結露しにくいばかりでなく、前記透明フィルム１６自体が比較的薄いので、前記液晶テレビ１全体の大型化を抑えることができる。【選択図】図２
2007171538.tif 000002
【特許請求の範囲】
【請求項１】
正面に透明パネルを有するケーシングと、このケーシング内に設けられる映像表示ユニットとを有し、前記透明パネルを通して前記映像表示ユニットの画面を視認可能な映像装置において、
前記透明パネルの内側で且つ前記映像表示ユニットの前側に、前記透明パネルと適宜の距離を隔てて透明フィルムを張設すると共に、前記透明パネルと透明フィルムとで挟まれる空間を密閉空間としたことを特徴とする映像装置。
【請求項２】
前記透明フィルムが可撓性を有することを特徴とする請求項１記載の映像装置。
【発明の詳細な説明】
【技術分野】
【０００１】
本発明は、テレビやＤＶＤプレイヤー等の映像装置に関するものであり、特に、浴室や屋外等、装置内外の温度差が大きくなりやすい環境で使用する映像装置に関するものである。
【背景技術】
【０００２】
従来、この種の映像装置としては、例えばテレビを収納する密閉ボックスの前面に曇り止めヒータを有する発熱ガラスを配置したものが知られている（例えば、特許文献１参照。）。これは、前記発熱ガラスを発熱させることによって、この発熱ガラスに結露すること、即ち曇りを防止して、浴室等の環境でもテレビ鑑賞を容易とするものである。また、カメラの保護ケース等において、外側窓ガラスと内側窓ガラスの間を断熱層とすることで曇り防止窓としたものも知られている（例えば、特許文献２参照。）。これは、二重の窓ガラスの間を断熱空間とすることで、カメラハウジングの内部が高温、外部が低温になった場合でも、内側窓ガラスの内面が低温にならないので、この内側窓ガラスの内面に結露しない、即ち内側窓ガラスが曇らないようにするものである。なお、前記断熱空間内は真空とするか、或いは窒素ガス又は乾燥空気で満たすことで、外側窓ガラスの内側や内側窓ガラスの外側は結露しない、或いは結露しにくくなっている。
【特許文献１】特許第２８６３６５７号公報
【特許文献２】特開平９−４３７２３号公報
【発明の開示】
【発明が解決しようとする課題】
【０００３】
しかしながら、前者のような防曇手段を有する映像装置では、確実に防曇できるというメリットがあるものの、防曇のために電力を消費することになるので経済的ではないという問題があった。また、後者の防曇手段を映像装置に適用した場合、曇り防止窓の部分が厚くなってしまい、映像装置全体が大型化してしまう虞があるという問題があった。また、断熱空間を真空とする場合、真空封止構造のためにコストアップしてしまう虞があった。更に、前記断熱空間に窒素ガスや乾燥空気を封入する場合も、カメラハウジング内外の温度変化によって断熱空間内の気圧が上昇したり下降したりすることで、断熱空間内の乾燥した気体が外部に漏れたり、断熱空間外の湿った空気が断熱空間内に侵入したりする虞があった。
【０００４】
本発明は以上の問題点を解決し、透明パネルの曇りを経済的に防止することができる小型の映像装置を提供することを目的とする。
【課題を解決するための手段】
【０００５】
本発明の請求項１に記載の映像装置は、正面に透明パネルを有するケーシングと、このケーシング内に設けられる映像表示ユニットとを有し、前記透明パネルを通して前記映像表示ユニットの画面を視認可能な映像装置において、前記透明パネルの内側で且つ前記映像表示ユニットの前側に、前記透明パネルと適宜の距離を隔てて透明フィルムを張設すると共に、前記透明パネルと透明フィルムとで挟まれる空間を密閉空間としたものである。
【０００６】
また、本発明の請求項２に記載の映像装置は、請求項１において、前記透明フィルムが可撓性を有するものである。
【発明の効果】
【０００７】
本発明の請求項１に記載の映像装置は、以上のように構成することにより、前記ケーシング外が低温の環境において、前記映像表示ユニットが発熱して前記ケーシング内が高温になったとしても、前記透明パネルと透明フィルムで挟まれた密閉空間によって断熱されることで、前記透明フィルムの内面がそれほど低温にならず、この結果、前記透明フィルムの内面に結露しにくい。そして、前記透明フィルムが比較的薄いので、前記映像装置全体の大型化を抑えることができる。
【０００８】
また、本発明の請求項２に記載の映像装置は、以上のように構成することにより、前記密閉空間内の温度が上昇したり下降したりすることで、前記密閉空間内の圧力が上昇したり下降したりしたとしても、前記透明フィルムが撓むことで圧力の変動を吸収し、これによって、前記密閉空間から乾燥した空気が流出したり、外部空間から前記密閉空間内に湿った外気が流入したりすることを抑えることができる。
【発明を実施するための最良の形態】
【０００９】
以下、本発明の実施例について、図１乃至図３に基づいて説明する。１は浴室等の壁に取り付けて用いられる映像装置としての液晶テレビである。この液晶テレビ１は、前ケーシング２ａと後ケーシング２ｂとで構成されるケーシング２と、前記前ケーシング２ａに形成された開口部３を塞ぐように設けられた透明パネル４と、前記ケーシング２内に設けられた映像表示ユニットとしての液晶テレビユニット５を有して構成されている。なお、前記透明パネル４は、後述する透明フィルム１６と比較して厚く形成されていることで、殆ど可撓性を有さないものである。
【００１０】
前記ケーシング２を構成する前ケーシング２ａのほぼ中央には、前述したように、開口部３が形成されている。そして、前記開口部３を挟んで前記前ケーシング２ａの正面の左右には、図示しない防水スピーカーに対応する放音孔６が形成されている。また、前記前ケーシング２ａの正面における前記放音孔６の下方には、選局操作部７、音量調節操作部８、モードスイッチ９、主電源スイッチ１０等が設けられている。
【００１１】
前記後ケーシング２ｂの背面には、図示しない外部のアンテナや電源等と接続するためのコード類１１を通すための貫通孔１２が形成されていると共に、前記ケーシング内外の空間を連通させるための通気孔１３が形成されている。なお、この通気孔１３の内側には、空気を通過させる一方で水滴を通過させない性質を有する多孔質膜で形成された防水膜１４が貼り付けられている。また、前記貫通孔１２とコード類１１との隙間は、シール部材１５によって封止されている。
【００１２】
前記前ケーシング２ａの開口部３の周囲には、内側に凹んだ段部３ａが形成されており、この段部３ａの外側に前記透明パネル４が取り付けられている。なお、前記段部３ａの深さは、前記透明パネル４の厚さとほぼ同じであり、これによって、前記前ケーシング２ａの正面と透明パネル４の正面とがほぼ面一になっている。また、前記段部３ａの内側には、透明フィルム１６が貼り付けられている。この透明フィルム１６は、前記透明パネル４と比較して薄く形成されていることで、充分な可撓性を有するものである。そして、前記透明パネル４と透明フィルム１６との間には、前記前ケーシング２ａ自体の前記開口部３における厚さとほぼ等しい厚さの密閉空間１７が形成される。なお、この密閉空間１７は外部と連通していない。また、この密閉空間１７内には、常圧の乾燥空気等が封入されていることが望ましい。そして、前記透明フィルム１６の後方には、前記液晶テレビユニット５が配されている。この液晶テレビユニット５のフレーム１８は、前記透明フィルム１６の周囲に当接すると共に、前記液晶テレビユニット５の画面１９は、前記透明フィルム１６から適宜の距離を隔てている。なお、基準状態において、前記透明フィルム１６から前記画面１９までの距離は、前記透明フィルム１６から透明パネル４までの距離よりも短く構成されている。
【００１３】
次に、本発明の作用について説明する。まず、図示しない浴室の壁等に、本発明の液晶テレビ１を取り付ける。この際、前記コード類１１は、前記壁等に開けられた図示しない孔を通して外部の電源やアンテナに接続される。そして、前記主電源スイッチ１０を操作して前記液晶テレビ１の電源を入れ、前記選局操作部７及び音量調節操作部８を操作してテレビ番組を見たり、前記モードスイッチ９を操作して前記液晶テレビ１を調整したりする。なお、テレビ番組を見る際、図示しない防水スピーカーから放出される音は、前記放音孔６から前記ケーシング２の外部に放出される。
【００１４】
そして、上述したように、浴室等で映像装置を使用すると、ケーシング外部から侵入する水蒸気によってケーシング内の空気の水蒸気圧が上昇してしまい、浴室内の温度が低くなる冬季等では、液晶映像表示ユニットが熱を発することと相まって、浴室とケーシング内の温度差が大きくなり、透明パネルの内面に結露して曇ってしまう虞が生じるが、本発明の液晶テレビ１の場合、前記透明パネル４と透明フィルム１６とで挟まれた密閉空間１７が断熱空間となることで、前記密閉空間１７内の温度が、前記ケーシング２外と前記ケーシング２内の中間的な温度となり、この結果、前記密閉空間１７と前記ケーシング２内空間の温度差が小さくなるので、前記透明フィルム１６自体が低温となりにくく、従って、前記透明フィルム１６の内側が結露しにくくなる。一方、前述したように、前記密閉空間１７内の温度が、前記ケーシング２外とケーシング２内の中間的な温度となることで、前記密閉空間１７と前記ケーシング２外空間の温度差も小さくなるので、前記透明パネル４が低温になったとしても、前記密閉空間１７内の空気中の水分が前記透明パネル４の内側が結露しにくくなる。なお、前述したように、前記密閉空間１７内に乾燥空気を封入することで、前記透明パネル４の内側がより結露しにくくなる。そして、前述したように、前記透明フィルム１６が比較的薄いものであるので、前記透明パネル４の内側に前記透明フィルム１６を貼って前記密閉空間１７を形成したとしても、前記液晶テレビ１全体が大型化してしまったり、コストアップしてしまったりすることを防止できる。
【００１５】
なお、前記ケーシング２内外の温度差が少ない状態で且つ前記液晶テレビ１全体の温度が高い或いは低い場合、例えば、浴室内の温度が高くなる夏季、或いは浴室内の温度が低くなる冬季で且つ前記液晶テレビ１の電源が入っていない場合には、前記密閉空間１７内が密閉されていることで、この密閉空間１７内の温度が上昇したり下降したりすることに伴って、前記密閉空間１７内の圧力が上昇したり下降したりすることになる。しかしながら、前述したように、前記透明フィルム１６が可撓性を有するため、前記密閉空間１７内の圧力が上昇したり下降したりしたとしても、前記透明フィルム１６が撓むことで、前記密閉空間１７内の圧力変動が吸収される。即ち、前記密閉空間１７内の温度が高くなると、図３（ａ）に示すように、前記透明フィルム１６が画面１９側に膨らむように撓むことで、前記密閉空間１７内の圧力上昇が抑えられる。なお、前記透明フィルム１６と画面１９との間には、前記透明フィルム１６を撓ませるのに充分な間隔を有しているので、前記透明フィルム１６の撓みが阻害されることはない。逆に、前記密閉空間１７内の温度が低くなると、図３（ｂ）に示すように、前記透明フィルム１６が前記透明パネル４側に凹むように撓むことで、前記密閉空間１７内の圧力下降が抑えられる。このように、前記密閉空間１７内の温度が上昇したり下降したりしたとしても、前記密閉空間１７内の圧力変動が最小限に抑えられることで、前記前ケーシング２ａと透明パネル４の接合部、或いは前記前ケーシング２ａと透明フィルム１６の接合部を経て前記密閉空間１７内の空気が外部に流出したり、前記密閉空間１７内に外気が流入したりすることが抑えられる。これによって、前記密閉空間１７内に外気と共に水蒸気が流入することも抑えられるので、前記透明パネル４の内側がより結露しにくくなる。そして、前述したように、前記透明フィルム１６が撓んだとしても、この透明フィルム１６自体が比較的薄いものであり、また、撓み量もそれほど大きくないので、光学的な影響、即ち前記透明フィルム１６の撓みによる映像の歪みも無視できる程度に抑えられる。
【００１６】
以上のように本発明は、ケーシング２の正面に透明パネル４を設け、この透明パネル４を通して液晶テレビユニット５の画面１９を視認可能とした液晶テレビ１において、前記透明パネル４の内側で且つ前記液晶テレビユニット５の前側に、前記透明パネル４と適宜の距離を隔てて透明フィルム１６を張設し、これら透明パネル４と透明フィルム１６とで挟まれる空間を密閉空間１７としたことで、前記ケーシング２内外の温度差が大きくなったとしても、前記密閉空間１７によって断熱されることで、前記透明フィルム１６がそれほど低温にならず、前記透明フィルム１６の内面が結露しにくいばかりでなく、前記透明フィルム１６自体が比較的薄いので、前記液晶テレビ１全体の大型化を抑えることができるものである。
【００１７】
また本発明は、前記透明フィルム１６が可撓性を有することで、前記密閉空間１７内の温度変化による前記密閉空間１７内の圧力変動が前記透明フィルム１６の撓みによって吸収され、これによって、前記密閉空間１７から乾燥した空気が流出したり、外部空間から前記密閉空間１７内に湿った外気が流入したりすることを抑え、前記透明パネル４をより曇りにくくすることができるものである。
【００１８】
なお、本発明は以上の実施形態に限定されるものではなく、発明の要旨の範囲内で種々の変形実施が可能である。例えば、前記透明フィルムは可撓性のみならず伸縮性を有していれば、前記密閉空間１７内の圧力変動をより多く吸収することができる。また、上記実施形態では、映像装置として浴室で用いる液晶テレビを例に挙げたが、これ以外の映像装置、例えばＤＶＤプレイヤー等に適用してもよく、また、携帯型の映像装置であってもよい。
【図面の簡単な説明】
【００１９】
【図１】本発明の一実施形態を示す正面図である。
【図２】同上、Ａ−Ａ断面図及び部分拡大断面図である。
【図３】同上、密閉空間内の圧力の変動による状態変化を示す概略説明図であり、（ａ）が密閉空間内の圧力が上昇した場合、（ｂ）が密閉空間内の圧力が低下した場合を示すものである。
【符号の説明】
【００２０】
１  映像装置
２  ケーシング
４  透明パネル
５  液晶テレビユニット（映像表示ユニット）
１６  透明フィルム
１７  密閉空間
１９  画面
【図１】
2007171538.tif 000003
【図２】
2007171538.tif 000004
【図３】
2007171538.tif 000005